(57)【要約】【課題】部品点数を削減することができる携帯電子機器を提供する。【解決手段】外装ケース本体１２のディスプレイ設置面にディスプレイユニット４０を収容する凹部４４を一体的に形成する。ディスプレイユニット４０は、この凹部４４に収容し、その上から化粧板５０で覆うことにより、凹部４４の底面と化粧板５０との間に保持されて、外装ケース本体１２に組み付けられる。【選択図】      図３
2009145690.tif 000002
【特許請求の範囲】
【請求項１】
外装面上にディスプレイが設置された携帯電子機器において、
前記ディスプレイを構成する表示素子と、
前記表示素子が収容される表示素子収容ケースと、
ディスプレイ設置面に前記表示素子収容ケースが収容される凹部が一体的に形成された外装ケース本体と、
前記凹部の正面開口部を覆うようにして前記外装ケース本体に取り付けられ、前記凹部に収容された前記表示素子収容ケースを前記凹部の底面との間で保持する化粧板と、
を備えたことを特徴とする携帯電子機器。
【請求項２】
外装面上にディスプレイが設置された携帯電子機器において、
前記ディスプレイを構成する表示素子と、
ディスプレイ設置面に前記表示素子が収容される凹部が一体的に形成された外装ケース本体と、
前記凹部に嵌合して取り付けられ、その内周部に前記表示素子を収容して前記凹部内に前記表示素子を保持する表示素子収容ケース部材と、
を備えたことを特徴とする携帯電子機器。
【請求項３】
外装面上にディスプレイが設置された携帯電子機器において、
前記ディスプレイを構成する表示素子と、
前記表示素子が収容される表示素子収容ケースと、
両端開口部と平行な断面の投影形状が均一に形成され、ディスプレイ設置面に前記表示素子収容ケースが収容される凹部が一体的に形成された筒状の外装ケース本体と、
前記外装ケース本体の両端開口部に取り付けられ、該外装ケース本体の両端開口部を塞ぐとともに、前記凹部の両端開口部を塞ぐ一対のカバー部材と、
前記凹部の正面開口部を覆うようにして前記外装ケース本体に取り付けられ、前記凹部に収容された前記表示素子収容ケースを前記凹部の底面との間で保持する化粧板と、
を備えたことを特徴とする携帯電子機器。
【請求項４】
外装面上にディスプレイが設置された携帯電子機器において、
前記ディスプレイを構成する表示素子と、
前記表示素子が収容される表示素子収容ケースと、
両端開口部と平行な断面の投影形状が均一に形成され、ディスプレイ設置面の内側に前記表示素子収容ケースが収容されて保持される収容部が一体的に形成されるとともに、該収容部に連通する窓部が形成された筒状の外装ケース本体と、
前記外装ケース本体の両端開口部に取り付けられ、該外装ケース本体の両端開口部を塞ぐ一対のカバー部材と、
を備えたことを特徴とする携帯電子機器。
【請求項５】
前記窓部は両端が開口して形成されることを特徴とする請求項４に記載の携帯電子機器。
【請求項６】
前記カバー部材には、前記窓部の両端の開口部に嵌合して、前記表示素子収容ケースの前面に係合する係合片が一体的に形成されることを特徴とする請求項５に記載の携帯電子機器。
【発明の詳細な説明】
【技術分野】
【０００１】
本発明は携帯電子機器に係り、特に外装の表面にディスプレイが設置された携帯電子機器に関する。
【背景技術】
【０００２】
デジタルカメラや携帯電話、携帯音楽プレイヤ等の携帯電子機器には、機器本体にディスプレイが備えられている。従来、このディスプレイは、ディスプレイを構成するユニットを外装ケースの内側に配置されるインナーキャビネットに取り付けて所定位置に配置していた（たとえば、特許文献１〜３）。あるいは、外装ケースの内側に専用の保持部材を介して所定位置に取り付けていた（たとえば、特許文献１〜４）。
【特許文献１】特開平１１−１４９１２１号公報
【特許文献２】特開２００５−２３４１４３号公報
【特許文献３】特開２００４−１７２４５４号公報
【特許文献４】特開２００６−３９３６１号公報
【発明の開示】
【発明が解決しようとする課題】
【０００３】
しかしながら、従来の取り付け構造は、部品点数が多く、組み付けに手間がかかるとともに、コスト高になるという欠点があった。
【０００４】
本発明は、このような事情に鑑みてなされたもので、部品点数を削減することができる携帯電子機器を提供することを目的とする。
【課題を解決するための手段】
【０００５】
請求項１に係る発明は、前記目的を達成するために、外装面上にディスプレイが設置された携帯電子機器において、前記ディスプレイを構成する表示素子と、前記表示素子が収容される表示素子収容ケースと、ディスプレイ設置面に前記表示素子収容ケースが収容される凹部が一体的に形成された外装ケース本体と、前記凹部の正面開口部を覆うようにして前記外装ケース本体に取り付けられ、前記凹部に収容された前記表示素子収容ケースを前記凹部の底面との間で保持する化粧板と、を備えたことを特徴とする携帯電子機器を提供する。
【０００６】
請求項１に係る発明によれば、表示素子が収容された表示素子収容ケースを外装ケース本体に形成された凹部に嵌め、その凹部の上から外装ケース本体に化粧板を取り付けることにより、表示素子収容ケースが凹部の底面と化粧板との間に保持されて、表示素子が外装カバー本体に取り付けられる。このように表示素子収容ケースの取り付け部を外装ケース本体に一体的に形成することにより、部品点数を削減することができる。
【０００７】
請求項２に係る発明は、前記目的を達成するために、外装面上にディスプレイが設置された携帯電子機器において、前記ディスプレイを構成する表示素子と、ディスプレイ設置面に前記表示素子が収容される凹部が一体的に形成された外装ケース本体と、前記凹部に嵌合して取り付けられ、その内周部に前記表示素子を収容して前記凹部内に前記表示素子を保持する表示素子収容ケース部材と、を備えたことを特徴とする携帯電子機器を提供する。
【０００８】
請求項２に係る発明によれば、表示素子を外装ケース本体に形成された凹部に収容し、その上から凹部に表示素子収容ケース部材を嵌めることにより、表示素子が外装ケース本体に取り付けられる。このように表示素子の取り付け部を外装ケース本体に一体的に形成するとともに、表示素子を凹部内に保持する部材と表示素子収容ケース部材とを兼用することにより、部品点数を削減することができる。
【０００９】
請求項３に係る発明は、前記目的を達成するために、外装面上にディスプレイが設置された携帯電子機器において、前記ディスプレイを構成する表示素子と、前記表示素子が収容される表示素子収容ケースと、両端開口部と平行な断面の投影形状が均一に形成され、ディスプレイ設置面に前記表示素子収容ケースが収容される凹部が一体的に形成された筒状の外装ケース本体と、前記外装ケース本体の両端開口部に取り付けられ、該外装ケース本体の両端開口部を塞ぐとともに、前記凹部の両端開口部を塞ぐ一対のカバー部材と、前記凹部の正面開口部を覆うようにして前記外装ケース本体に取り付けられ、前記凹部に収容された前記表示素子収容ケースを前記凹部の底面との間で保持する化粧板と、を備えたことを特徴とする携帯電子機器を提供する。
【００１０】
請求項３に係る発明によれば、表示素子が収容された表示素子収容ケースを外装ケース本体に形成された凹部に嵌めるとともに、外装ケース本体の両端開口部にカバー部材を取り付け、凹部の上から外装ケース本体に化粧板を取り付けることにより、表示素子収容ケースが凹部の底面と化粧板との間に保持されるとともに、一対のカバーの間に保持されて、表示素子が外装ケース本体に取り付けられる。このように表示素子収容ケースの取り付け部を外装ケース本体に一体的に形成することにより、部品点数を削減することができる。また、外装ケース本体の形状を筒状とし、その両端開口部と平行な断面の投影形状を均一にすることにより、外装ケース本体に中空押出材を使用することができる。これにより、外装ケース本体の製造を容易に行うことができる。また、周囲に継ぎ目のないデザイン（いわゆるシームレスデザイン）とすることができ、優れた外観を呈することができる。
【００１１】
請求項４に係る発明は、前記目的を達成するために、外装面上にディスプレイが設置された携帯電子機器において、前記ディスプレイを構成する表示素子と、前記表示素子が収容される表示素子収容ケースと、両端開口部と平行な断面の投影形状が均一に形成され、ディスプレイ設置面の内側に前記表示素子収容ケースが収容されて保持される収容部が一体的に形成されるとともに、該収容部に連通する窓部が形成された筒状の外装ケース本体と、前記外装ケース本体の両端開口部に取り付けられ、該外装ケース本体の両端開口部を塞ぐ一対のカバー部材と、を備えたことを特徴とする携帯電子機器を提供する。
【００１２】
請求項４に係る発明によれば、表示素子が収容された表示素子収容ケースを外装ケース本体に形成された収容部に収容することにより、表示素子が外装ケース本体に取り付けられる。この際、表示素子が収容された表示素子収容ケースは、外装ケース本体に一体的に形成された収容部の両端開口部から収容部内に収容される。このように表示素子収容ケースを収容して保持する部材（収容部）を外装ケース本体に一体的に形成することにより、部品点数を削減することができる。また、外装ケース本体の形状を筒状とし、その両端開口部と平行な断面の投影形状を均一にすることにより、外装ケース本体に中空押出材を使用することができる。これにより、外装ケース本体の製造を容易に行うことができる。また、周囲に継ぎ目のないデザイン（いわゆるシームレスデザイン）とすることができ、優れた外観を呈することができる。
【００１３】
請求項５に係る発明は、前記目的を達成するために、前記窓部は両端が開口して形成されることを特徴とする請求項４に記載の携帯電子機器を提供する。
【００１４】
請求項５に係る発明によれば、窓部の両端が開口して形成される。これにより、窓部も押出加工により形成することができ、加工工数を削減することができる。
【００１５】
請求項６に係る発明は、前記目的を達成するために、前記カバー部材には、前記窓部の両端の開口部に嵌合して、前記表示素子収容ケースの前面に係合する係合片が一体的に形成されることを特徴とする請求項５に記載の携帯電子機器を提供する。
【００１６】
請求項６に係る発明によれば、窓部の両端の開口部に嵌合して、表示素子収容ケースの前面に係合する係合片がカバー部材に一体的に形成される。これにより、両端が開口して形成された窓部の開口部を係合片で塞ぐことができるとともに、その係合片で表示素子収容ケースを保持することができる。
【発明の効果】
【００１７】
本発明によれば、ディスプレイを構成する表示素子を少ない部品点数で外装ケース本体に組み付けることができる。
【発明を実施するための最良の形態】
【００１８】
以下、添付図面に従って本発明に係る携帯電子機器の好ましい実施の形態について説明する。
【００１９】
図１、２は、それぞれ本発明が適用されたデジタルカメラの第１の実施の形態の外観構成を示す正面斜視図と背面斜視図である。
【００２０】
同図に示すように、このデジタルカメラ１０の外装ケース本体１２は、前後方向の厚さの薄い矩形の箱状に形成されている。
【００２１】
外装ケース本体１２の前面１２Ａには、図１に示すように、撮影レンズ１４、ストロボ１６が配置され、上面１２Ｂにはシャッタボタン１８、電源ボタン２０が配置されている。また、外装ケース本体１２の後面１２Ｃには、図２に示すように、ディスプレイ２２、ズームボタン２４、再生ボタン２６、ファンクションボタン２８、十字ボタン３０、ＭＥＮＵ／ＯＫボタン３２、キャンセルボタン３４、表示ボタン３６が配置されている。また、図示されていないが、外装ケース本体１２の下面には、三脚ネジ穴と開閉自在な電池蓋が設けられており、電池蓋の内側に電池室とメモリカードスロットとが配置されている。
【００２２】
なお、本実施の形態のデジタルカメラ１０は、右利き用のカメラとして構成され、外装ケース本体１２の右端（後面から見て）を把持して右手で操作するように、各種ボタン類がレイアウトされている。
【００２３】
撮影レンズ１４は、いわゆる屈曲光学系によるズームレンズで構成されており、その後端面にＣＣＤが組み付けられたレンズユニットとして、外装ケース本体１２の内部に収容されている。そして、その前玉レンズが外装ケース本体１２の前面右上端に配置されている。
【００２４】
ストロボ１６は、キセノン管を光源として構成されており、メインコンデンサ等を含めたストロボユニットとして、外装ケース本体１２の内部に収容されている。そして、その発光部が撮影レンズ１４に並列して配置されている。
【００２５】
シャッタボタン１８は、いわゆる半押しと全押しが可能な二段ストローク式の押下ボタンで構成されており、外装ケース本体１２の上面左端に配置されている。デジタルカメラ１０は、このシャッタボタン１８が半押しされることにより、ＡＥ、ＡＦを行い、全押しされることにより、本撮影を行う。
【００２６】
電源ボタン２０は、押下式のボタンで構成されており、シャッタボタン１８に近接して配置されている。デジタルカメラ１０は、この電源ボタン２０が押下されることにより、電源がオン／オフされる。なお、電源投入時、デジタルカメラ１０は撮影モードの状態で起動する。
【００２７】
ディスプレイ２２は、カラー液晶で構成されており、所定の駆動回路やバックライト等を含むディスプレイユニットとして、外装ケース本体１２に組み付けられている。このディスプレイ２２は、再生モード時に撮影済み画像の表示画面として使用されるほか、カメラの各種設定時にＧＵＩとして利用される。また、撮影時にはＣＣＤで捉えた画像がスルー表示されて、電子ファインダとして使用される。なお、このディスプレイ２２の組み付け方法については、後に詳述する。
【００２８】
ズームボタン２４は、テレ方向へのズームを指示するズームテレボタンと、ワイド方向へのズームを指示するズームワイドボタンとで構成されており、外装ケース本体１２の左上端に配置されている。
【００２９】
再生ボタン２６は、押下式のボタンで構成されており、十字ボタン３０の左上に配置されている。デジタルカメラ１０は、この再生ボタン２６が押下されることにより、撮影モードから再生モードに切り替えられる。
【００３０】
ファンクションボタン２８は、押下式のボタンで構成されており、十字ボタン３０の右上に配置されている。このファンクションボタン２８には、カメラの状態に応じた機能が割り当てられる。たとえば、撮影モードの状態では、記録画素数やＩＳＯ感度等の設定画面を呼び出す機能が割り当てられ、再生モードの状態では、プリント予約や画像保護の設定画面を呼び出す機能が割り当てられる。
【００３１】
十字ボタン３０は、上下左右四方向に押下可能なリング状のボタンで構成されており、ズームボタン２４の下方位置に配置されている。この十字ボタン３０の各方向のキーには、カメラの状態に応じた機能が割り当てられる。たとえば、上記ディスプレイ２２を利用した各種設定時には、ディスプレイ上に表示されるカーソルの移動を指示する機能が割り当てられる。また、再生モード時には、左右のキーに画像のコマ送り、コマ戻しを指示する機能が割り当てられる。また、撮影モード時には、上下のキーに各種設定値（絞り値やシャッタ速度等）のアップダウンを指示する機能が割り当てられる。
【００３２】
ＭＥＮＵ／ＯＫボタン３２は、押下式のボタンで構成されており、リング状に形成された十字ボタン３０の中央に配置されている。このＭＥＮＵ／ＯＫボタン３２は、ディスプレイ２２に各種設定を行うためのメニュー画面を呼び出す機能と、そのメニュー画面等において選択した項目の確定や処理の実行を指示する機能が割り当てられている。
【００３３】
キャンセルボタン３４は、押下式のボタンで構成されており、十字ボタン３０の左下の配置されている。このキャンセルボタン３４は、処理のキャンセルを指示するボタンとして機能する。
【００３４】
表示ボタン３６は、押下式のボタンで構成されており、十字ボタン３０の右下に配置されている。この表示ボタン３６には、ディスプレイ２２の表示の切り替えを指示するボタンとして機能する。たとえば、撮影モード時にこの表示ボタン３６が押されると、ディスプレイ２２の表示が、スルー画像のみ、スルー画像＋撮影情報（絞り値、シャッタ速度等）、スルー画像＋撮影情報＋グリッド線と切り替えられる。再生モード時にこの表示ボタン３６が押されると、再生画像のみ、再生画像＋撮影情報と切り替えられる。
【００３５】
これらの撮影ボタン類は、操作ユニットとして、外装ケース本体１２の内部に組み込まれ、そのボタン部のキートップのみが外装ケース本体１２の表面から露出する。
【００３６】
図３は、ディスプレイユニットの組み付け構造を示す展開図であり、また、図４は、ディスプレイユニットの取り付け部の構成を示す縦断面図である。
【００３７】
上記のように外装ケース本体１２は、前後方向の厚さの薄い矩形の箱状に形成されている。この外装ケース本体１２は、金属（たとえば、アルミ合金やマグネシウム合金、ステンレス等）を加工形成して所定形状に形成されており、その上面には、シャッタボタン１８が配置されるシャッタボタン開口部１８Ａと、電源ボタン２０が配置される電源ボタン開口部２０Ａが形成されている。また、後面には、ズームボタン２４が配置されるズームボタン開口部２４Ａ、再生ボタン２６が配置される再生ボタン開口部２６Ａ、ファンクションボタン２８が配置されるファンクションボタン開口部２８Ａ、十字ボタン３０とＭＥＮＵ／ＯＫボタン３２が配置される十字ボタン開口部３０Ａ、キャンセルボタン３４が配置されるキャンセルボタン開口部３４Ａ、表示ボタン３６が配置される表示ボタン開口部３６Ａが形成されている。また、図示されていないが、前面には、撮影レンズ１４が配置されるレンズ開口部と、ストロボ１６が配置されるストロボ開口部が形成されており、下面には、三脚ネジ穴用の開口部と、電池蓋用の開口部が形成されている。
【００３８】
ディスプレイ２２は、上記のように、カラー液晶で構成されており、液晶表示素子と、その駆動回路及びバックライト等が一体となったディスプレイユニット４０を外装ケース本体１２に組み付けることにより、外装ケース本体１２の後面の所定位置に取り付けられる。
【００３９】
ディスプレイユニット４０は、所定のアスペクト比を有する液晶表示素子と、その液晶表示素子の駆動回路及びバックライト等が、所定のディスプレイケース４２に収容されて構成されている。
【００４０】
ディスプレイケース４２は、図３に示すように、前後方向に厚さの薄い矩形の箱状に形成されており、その前面に液晶表示素子の表示面と同じ大きさの開口部４２Ａが形成されている。液晶表示素子は、その表示面が開口部４２Ａに臨むようにして、ディスプレイケース４２内に収容配置されている。
【００４１】
図３及び図４に示すように、外装ケース本体１２の後面（ディスプレイ設置面）には、このディスプレイユニット４０のディスプレイケース４２が嵌合可能な凹部４４がディスプレイ設置位置に一体成形されている。すなわち、ディスプレイケース４２の外周形状に対応した内周形状を有し、ディスプレイケース４２の厚さと同じ深さの凹部４４が、ディスプレイ設置位置に一体成形されている。ディスプレイユニット４０は、この外装ケース本体１２に形成された凹部４４にディスプレイケース４２ごと嵌めることにより、外装ケース本体１２に装着される。
【００４２】
また、この凹部４４には所定位置にスリット状のケーブル挿通穴４８が形成されている。ディスプレイユニット４０から延びるフレキシブルケーブル４９は、このケーブル挿通穴４８を通して外装ケース本体１２の内側に導かれる。本例では、ディスプレイユニット４０の背面下部中央からフレキシブルケーブル４９が延びることから、これに対応して、凹部４４の下内壁面４４Ｃにケーブル挿通穴４８が形成されている。ディスプレイユニット４０は、凹部４４への装着時、このケーブル挿通穴４８にフレキシブルケーブル４９を通して、凹部４４に装着する。なお、ケーブル挿通穴４８は、ディスプレイユニット４０から延びる配線（本例ではフレキシブルケーブル）が通る大きさであればよく、必要最小限の大きさとすることが好ましい。
【００４３】
ディスプレイユニット４０が装着された外装ケース本体１２には、凹部４４の正面開口部４４Ａを覆うようにして、化粧板５０が取り付けられる。凹部４４に嵌められたディスプレイユニット４０は、この化粧板５０の内側面と凹部４４の底面４４Ｂとの間に保持されて、外装ケース本体１２に取り付けられる。
【００４４】
化粧板５０は、凹部４４よりも一回り大きな矩形の枠状に形成されており、その内周部５０Ａに樹脂製の透明プレート５２が嵌められている。凹部４４の正面開口部４４Ａの周囲には、この化粧板５０が嵌合可能な段部５４が一体成形されている。すなわち、化粧板５０の外周形状に対応した内周形状を有し、化粧板５０の厚さと同じ深さの段部５４が一体成形されている。化粧板４６は、この段部５４に嵌められて外装ケース本体１２に取り付けられ、図示しないビスで四隅をネジ止めされて、外装ケース本体１２に固定される。なお、上記のように、段部５４は、化粧板５０の厚さと同じ深さで形成されているため、外装ケース本体１２に取り付けられた化粧板４６は、その表面が外装ケース本体１２の後面と同一面上に位置する。
【００４５】
以上の構成による外装ケース本体１２へのディスプレイユニット４０の組み付けは次のように行われる。
【００４６】
まず、外装ケース本体１２の後面１２Ｃに形成された凹部４４にディスプレイユニット４０のディスプレイケース４２を嵌め込む。この際、ディスプレケース４２から延びるフレキシブルケーブル４９を凹部４４内に形成されたケーブル挿通穴４８に通して、ディスプレイケース４２を凹部４４に嵌め込む。
【００４７】
次に、凹部４４に化粧板５０を取り付けて、凹部４４の正面開口部４４Ａを塞ぐ。化粧板５０は、凹部４４の周囲に形成された段部５４に嵌めて取り付け、四隅を図示しないビスでネジ止めして、外装ケース本体１２に固定する。
【００４８】
以上により、ディスプレイユニット４０の組み付けが完了する。組み付けられたディスプレイユニット４０は、そのディスプレイケース４２の周囲が凹部４４の内壁面に保持されるとともに、その前後の面が、凹部４４の底面４４Ｂと化粧板５０の内側面との間に挟まれて保持される。
【００４９】
このように、本実施の形態のディスプレイユニット４０の組み付け構造によれば、ディスプレイユニット４０の取り付け部（凹部４４）が、外装ケース本体１２に一体的に形成されているので、別途、ディスプレイユニット４０の取り付け部材等を用いることなく、ディスプレイユニット４０を外装ケース本体１２に組み付けることができる。これにより、少ない部品点数でディスプレイユニット４０を外装ケース本体１２に組み付けることができる。
【００５０】
なお、本例では、化粧板５０をビスでネジ止めして、外装ケース本体１２に固定する構造としているが、化粧板５０の取り付け構造は、これに限定されるものではない。この他、接着剤や両面テープ等を用いて外装ケース本体１２に固定するようにしてもよい。
【００５１】
また、本例では、化粧板５０の内周部に透明プレート５２を取り付けているが、化粧板５０は枠のみで構成するようにしてもよい。
【００５２】
また、外装ケース本体１２の構成についても、凹部４４が一体的に形成されていればよく、その加工方法はいかなる方法を採用してもよい。たとえば、前後に二分割可能に形成し、プレス加工にて凹部を形成するようにしてもよい。
【００５３】
また、ディスプレイユニット４０は、凹部４４にネジ止め等して固定するようにしてもよい。
【００５４】
図５は、本発明が適用されたデジタルカメラの第２の実施の形態の外観構成を示す正面斜視図であり、また、図６は、その第２の実施の形態のデジタルカメラにおけるディスプレイユニットの組み付け構造を示す展開図である。
【００５５】
同図に示すように、本実施の形態のデジタルカメラ１０Ａは、外装ケース６０が、上下両端面が開口して形成された筒状の外装ケース本体６２と、その外装ケース本体６２の上下両端の開口面を覆う上カバー６４と、下カバー６６とで構成されている。
【００５６】
なお、外装ケース６０の前面に撮影レンズとストロボ（図示せず）、上面にシャッタボタン１８と電源ボタン２０、後面にディスプレイ２２と、ズームボタン２４と、再生ボタン２６と、ファンクションボタン２８と、十字ボタン３０と、ＭＥＮＵ／ＯＫボタン３２と、キャンセルボタン３４と、表示ボタン３６とが配置される点については、上述した第１の実施の形態のデジタルカメラ１０と同じである。
【００５７】
外装ケース本体６２は、金属（たとえば、アルミ合金やマグネシウム合金、ステンレス等）によって上下両端が開口した矩形の筒状に形成されており、その後面６２Ａにディスプレイユニット４０を装着するための凹部６８が一体形成されている。
【００５８】
この外装ケース本体６２は、基本骨格が押出加工によって形成されており、これに所要の開口部（ズームボタン２４が配置されるズームボタン開口部２４Ａ、再生ボタン２６が配置される再生ボタン開口部２６Ａ、ファンクションボタン２８が配置されるファンクションボタン開口部２８Ａ、十字ボタン３０とＭＥＮＵ／ＯＫボタン３２が配置される十字ボタン開口部３０Ａ、キャンセルボタン３４が配置されるキャンセルボタン開口部３４Ａ、表示ボタン３６が配置される表示ボタン開口部３６Ａ、撮影レンズ１４が配置されるレンズ開口部、ストロボ１６が配置されるストロボ開口部等）を後加工して、所定形状に形成されている。このため、外装ケース本体６２は、その両端開口部と平行な断面の投影形状が均一な形状（開口方向に押出成形可能な形状）に形成されている。また、このように押出成形可能な形状に形成されることから、その後面６２Ａに形成される凹部６８も上下の両端部が開口して形成されている。
【００５９】
この凹部６８は、ディスプレイユニット４０のディスプレイケース４２が嵌合可能な矩形の溝状に形成されており、その横幅はディスプレイケース４２の横幅と同じ長さで形成されている。また、その深さはディスプレイケース４２の厚さと深さで形成されている。ディスプレイユニット４０は、この凹部６８にディスプレイケース４２ごと嵌めることにより、外装ケース本体６２に装着される。
【００６０】
また、この凹部６８の底面の下縁部４４には、中央に切欠き７０が形成されている。ディスプレイユニット４０から延びるフレキシブルケーブル４９は、この切欠き７０を介して外装ケース本体６２の内側に導かれる。なお、この切欠き７０は、外装ケース本体６２を押出加工後、切削加工により形成される。
【００６１】
また、この凹部６８の左右の両縁部には、化粧板５０が嵌合可能な段部７２が形成されている。この段部７２は、化粧板５０の厚さと同じ深さをもって形成されている。化粧板７２は、この段部７２に嵌められて外装ケース本体６２に取り付けられる。そして、図示しないビスで四隅をネジ止めされて、外装ケース本体６２に固定される。
【００６２】
なお、上記のように、段部７２は、化粧板５０の厚さと同じ深さで形成されているため、外装ケース本体６２に取り付けられた化粧板４６は、その表面が外装ケース本体６２の後面６２Ａと同一面上に位置する。この結果、外装ケース本体６２は、その上下両端の開口部と平行な断面の投影形状が、ほぼ矩形状に形成される。
【００６３】
そして、このように化粧板５０が段部７２に取り付けられることにより、凹部６８に収容されたディスプレイユニット４０は、その凹部６８の底面と化粧板５０の裏面との間に挟まれて保持される。
【００６４】
上カバー６４は、矩形の板状に形成されており、所定位置にシャッタボタン開口部１８Ａと電源ボタン開口部２０Ａが形成されている。この上カバー６４は、ディスプレイユニット４０と化粧板５０とが取り付けられた外装ケース本体６２の外周形状（ほぼ矩形状）に対応した外周形状を有しており、外装ケース本体６２の上面開口部６２Ｂに取り付けられることにより、外装ケース本体６２の周囲から食み出すことなく、その上面開口部６２Ｂを遮蔽する。
【００６５】
下カバー６６も上カバー６４と同様に矩形の板状に形成されており、その外周形状が、ディスプレイユニット４０と化粧板５０とが取り付けられた外装ケース本体６２の外周形状（ほぼ矩形状）に対応して形成されている。外装ケース本体６２の下面開口部６２Ｃに取り付けられることにより、外装ケース本体６２の周囲から食み出すことなく、その下面開口部６２Ｃを遮蔽する。
【００６６】
なお、図示されていないが、この下カバー６６には、電池蓋と三脚ネジ穴部材が取り付けられる。
【００６７】
上カバー６４と下カバー６６とが外装ケース本体６２に取り付けられることにより、上下両端が開口して形成された凹部６８もこの上カバー６４と下カバー６６とによって、上下の両端開口面が塞がれる。そして、この凹部６８内に収容されたディスプレイユニット４０も上カバー６４と下カバー６６との間に上下方向から挟まれて保持される。
【００６８】
なお、ディスプレユニット４０から延びるフレキシブルケーブル４９は、下カバー６６が取り付けられることにより、その下カバー６６と切欠き７０とによって形成される隙間を介して外装ケース本体６２の内側に導かれる。
【００６９】
以上の構成による外装ケース本体６２へのディスプレイユニット４０の組み付けは次のように行われる。
【００７０】
まず、外装ケース本体６２の後面６２Ａに形成された凹部６８にディスプレイユニット４０を嵌め込む。
【００７１】
次に、外装ケース本体６２の上面開口部と下面開口部に上カバー６４と下カバー６６を取り付ける。この際、凹部６８内に形成された切欠き７０を介してフレキシブルケーブル４９を外装ケース本体６２の内側に導く。
【００７２】
次に、凹部６８に化粧板５０を取り付けて、凹部６８の正面開口部を塞ぐ。化粧板５０は、凹部６８の両縁に形成された段部７２に嵌めて取り付け、四隅を図示しないビスでネジ止めして、外装ケース本体６２に固定する。
【００７３】
以上により、ディスプレイユニット４０の組み付けが完了する。組み付けられたディスプレイユニット４０は、そのディスプレイケース４２の周面が、凹部６８の内壁面と上カバー６４及び下カバー６６に保持されるとともに、その前後の面が、凹部６８の底面と化粧板５０の内側面との間に挟まれて保持される。
【００７４】
このように、本実施の形態のディスプレイユニット４０の組み付け構造によれば、ディスプレイユニット４０の取り付け部（凹部６８）が、外装ケース本体６２に一体的に形成されているので、別途、ディスプレイユニット４０の取り付け部材等を用いることなく、ディスプレイユニット４０を外装ケース本体６２に組み付けることができる。これにより、少ない部品点数でディスプレイユニット４０を外装ケース本体６２に組み付けることができる。
【００７５】
また、外装ケース本体６２を金属によって筒状に形成することができるので、継ぎ目のない優れたデザインにすることができる。また、剛性も確保することができる。
【００７６】
なお、本例では外装ケース本体６２にディスプレイユニット４０を取り付けた後、上カバー６４と下カバー６６を取り付けているが、組み立て順序はこれに限定されるものではなく、外装ケース本体６２に上カバー６４と下カバー６６を取り付けた後、ディスプレイユニット４０を取り付けるようにしてもよい。
【００７７】
また、本実施の形態では、ディスプレイユニット４０から延びるフレキシブルケーブル４９を外装ケース本体６２の内側に導くための切欠き７０を凹部６８の下縁部に形成しているが、たとえば、下カバー６６を外装ケース本体６２に取り付けた際、外装ケース本体６２との間にフレキシブルケーブル４９が通る隙間が形成されるように、下カバー６８の内面に凹部を形成し、この凹部を介して外装ケース本体６２の内側にフレキシブルケーブル４９を導くようにしてもよい。
【００７８】
また、本実施の形態では、上下両端面が開口するように外装ケース本体６２を押出成型しているが（いわゆる縦押し出し）、左右の両端が開口するように外装ケース本体６２を押出成型するようにしてもよい（いわゆる横押し出し）。この場合、左右両端の開口部をカバー部材で塞ぐように構成する。また、フレキシブルケーブルは、ディスプレイユニットの横から引き出す構成とし、凹部の底面の側縁部に切欠きを形成して、外装ケース本体内に導く構成とする。
【００７９】
なお、上カバーと下カバーの材質については、特に限定されるものではなく、外装カバー本体と同様に金属（たとえば、アルミ合金やマグネシウム合金、ステンレス等）で形成してもよいし、また、樹脂で形成してもよい。
【００８０】
また、ディスプレイユニット４０は、凹部６８にネジ止め等して固定するようにしてもよい。
【００８１】
図７は、本発明が適用されたデジタルカメラの第３の実施の形態のディスプレイユニットの組み付け構造を示す展開図であり、図８は、ディスプレイユニットが組み付けられた外装ケースの背面斜視図である。
【００８２】
同図に示すように、本実施の形態のデジタルカメラの外装ケース８０は、上下両端面が開口して形成された筒状の外装ケース本体８２と、その外装ケース本体８２の上下両端の開口面を覆う上カバー８４と、下カバー８６とで構成されている。
【００８３】
なお、外装ケース８０の前面に撮影レンズとストロボ（図示せず）、上面にシャッタボタン１８と電源ボタン２０、後面にディスプレイ２２と、ズームボタン２４と、再生ボタン２６と、ファンクションボタン２８と、十字ボタン３０と、ＭＥＮＵ／ＯＫボタン３２と、キャンセルボタン３４と、表示ボタン３６とが配置される点については、上述した第１の実施の形態のデジタルカメラ１０と同じである。
【００８４】
外装ケース本体８２は、金属（たとえば、アルミ合金やマグネシウム合金、ステンレス等）によって上下両端が開口した矩形の筒状に形成されており、その後面（ディスプレイ設置面）８２Ａの内側にディスプレイユニット４０を収容するための収容部８８が一体形成されている。
【００８５】
この外装ケース本体８２は、基本骨格が押出加工によって形成されており、これに所要の開口部（ズームボタン２４が配置されるズームボタン開口部２４Ａ、再生ボタン２６が配置される再生ボタン開口部２６Ａ、ファンクションボタン２８が配置されるファンクションボタン開口部２８Ａ、十字ボタン３０とＭＥＮＵ／ＯＫボタン３２が配置される十字ボタン開口部３０Ａ、キャンセルボタン３４が配置されるキャンセルボタン開口部３４Ａ、表示ボタン３６が配置される表示ボタン開口部３６Ａ、撮影レンズ１４が配置されるレンズ開口部、ストロボ１６が配置されるストロボ開口部等）を後加工して、所定形状に形成されている。このため、外装ケース本体８２は、その両端開口部と平行な断面の投影形状が均一な形状（開口方向に押出成形可能な形状）に形成されている。また、このように押出成形可能な形状に形成されることから、その後面８２Ａに形成される収容部８８も上下の両端部が開口して形成されている。
【００８６】
この収容部８８は、上下の開口部からディスプレイユニット４０を嵌入可能に形成されている。すなわち、その内周部の左右方向の幅が、ディスプレイケース４２の左右方向の幅と同じ幅で形成され、また、その内周部の前後方向の幅が、ディスプレイケース４２の前後方向の幅と同じ幅で形成されている。
【００８７】
この収容部８８が形成された外装ケース本体８２の後面８２Ａには、ディスプレイ２２の設置位置に窓９０が形成されており、この窓９０を介してディスプレイユニット４０の液晶表示面を観察するようにされている。
【００８８】
なお、この窓９０は、外装ケース本体８２の押出加工時に一体成形される。このため、窓９０は、上下の両端部が開口した形状に形成されている。
【００８９】
また、この窓９０の左右方向の幅は、収容部８８の内周部の左右方向の幅よりも狭く形成されている。このため、収容部８８の前面（外装ケース本体８２の後面８２Ａの一部）は、左右の両縁が所定の幅をもって内側に張り出して形成されている。収容部８８に収容されたディスプレイユニット４０は、この内側に張り出して形成された前面張出部８８Ａと収容部８８の底面８８Ｂとの間に挟まれて、収容部８８内に保持される。
【００９０】
また、この収容部８８の底面８８Ｂの下縁部には、中央に切欠き９２が形成されている。ディスプレイユニット４０から延びるフレキシブルケーブル４９は、この切欠き９２を介して外装ケース本体８２の内側に導かれる。なお、この切欠き９２は、外装ケース本体８２を押出加工後、切削加工により形成される。
【００９１】
上カバー８４は、上記第２の実施の形態のデジタルカメラの上カバー６４と同様に矩形の板状に形成され、所定位置にシャッタボタン開口部１８Ａと電源ボタン開口部２０Ａが形成される。そして、外装ケース本体８２の周囲から食み出すことなく、外装ケース本体８２の上面開口部８２Ｂに取り付けられる。
【００９２】
下カバー８６も同様に矩形の板状に形成され、外装ケース本体８２の周囲から食み出すことなく、外装ケース本体８２の下面開口部８２Ｃに取り付けられる。なお、図示されていないが、この下カバー８６にも電池蓋と三脚ネジ穴部材が取り付けられる。
【００９３】
上カバー８４と下カバー８６とが、外装ケース本体８２に取り付けられると、上下両端が開口して形成された収容部８８もこの上カバー８４と下カバー８６とによって、上下の両端開口面が塞がれる。そして、この収容部８８内に収容されたディスプレイユニット４０も上カバー８４と下カバー８６との間に上下方向から挟まれて保持される。
【００９４】
なお、ディスプレイユニット４０から延びるフレキシブルケーブル４９は、下カバー８６が取り付けられることにより、その下カバー８６と切欠き９２とによって形成される隙間を介して外装ケース本体８２の内側に導かれる。
【００９５】
以上の構成による外装ケース本体８２へのディスプレイユニット４０の組み付けは次のように行われる。
【００９６】
まず、外装ケース本体８２に形成された収容部８８にディスプレイユニット４０を収容する。この際、ディスプレイユニット４０は、収容部８８の上面又は下面に形成された開口部を利用して、収容部８８に収容する。すなわち、上面開口部又は下面開口部から差し込むようにして、収容部８８に収容する。
【００９７】
収容部８８に収容されたディスプレイユニット４０は、その前後の面が収容部８８の前面の前面張出部８８Ａと底面８８Ｂとの間に挟まれるとともに、その左右の側面が収容部の左右の内壁面との間に挟まれて、収容部８８内に保持される。
【００９８】
次に、外装ケース本体８２の上面開口部と下面開口部に上カバー８４と下カバー８６を取り付ける。この際、収容部８８内に形成された切欠き９２を介してフレキシブルケーブル４９を外装ケース本体８２の内側に導く。
【００９９】
以上により、ディスプレイユニット４０の組み付けが完了する。組み付けられたディスプレイユニット４０は、そのディスプレイケース４２の周面が、収容部８８の左右の内壁面と上カバー６４及び下カバー６６に保持されるとともに、その前後の面が、収容部８８の前面張出部８８Ａと底面８８Ｂとの間に挟まれて保持される。
【０１００】
このように、本実施の形態のディスプレイユニット４０の組み付け構造によれば、ディスプレイユニット４０の取り付け部（収容部８８）が、外装ケース本体８２に一体的に形成されているので、別途、ディスプレイユニット４０の取り付け部材等を用いることなく、ディスプレイユニット４０を外装ケース本体８２に組み付けることができる。特に本実施の形態の取り付け構造では、化粧板も取り付ける必要がないので、より少ない部品点数でディスプレイユニット４０を外装ケース本体８２に組み付けることができる。
【０１０１】
また、本実施の形態においても、外装ケース本体８２を金属によって筒状に形成することができるので、継ぎ目のない優れたデザインにすることができる。また、剛性も確保することができる。
【０１０２】
なお、本例では化粧板を取り付けていないが、窓９０に化粧板を取り付けるようにしてもよい。これにより、液晶表示素子の表示面を保護することができる。
【０１０３】
また、本実施の形態では、ディスプレイユニット４０から延びるフレキシブルケーブル４９を外装ケース本体８２の内側に導くための切欠き７０を収容部８８の下縁部に形成しているが、たとえば、下カバー８６を外装ケース本体８２に取り付けた際、外装ケース本体８２との間にフレキシブルケーブル４９が通る隙間が形成されるように、下カバー８８の内面に凹部を形成し、この凹部を介して外装ケース本体８２の内側にフレキシブルケーブル４９を導くようにしてもよい。
【０１０４】
また、本実施の形態では、上下両端面が開口するように外装ケース本体８２を押出成型しているが（いわゆる縦押し出し）、左右の両端が開口するように外装ケース本体８２を押出成型するようにしてもよい（いわゆる横押し出し）。この場合、左右両端の開口部をカバー部材で塞ぐように構成する。また、フレキシブルケーブルは、ディスプレイユニットの横から引き出す構成とし、収容部の底面の側縁部に切欠きを形成して、外装ケース本体内に導く構成とする。
【０１０５】
また、ディスプレイユニット４０は、収容部８８にネジ止め等して固定するようにしてもよい。
【０１０６】
図９は、本発明が適用されたデジタルカメラの第４の実施の形態のディスプレイユニットの組み付け構造を示す展開図であり、図１０は、ディスプレイユニットが組み付けられた外装ケースの背面斜視図である。
【０１０７】
同図に示すように、本実施の形態のデジタルカメラの外装ケース８０ａは、上カバー８４ａと下カバー８６ａに係合片８４Ａ、８６Ａが突出して形成されている点で上述した第３の実施の形態のデジタルカメラの外装ケース８０ａと相違している。
【０１０８】
この係合片８４Ａ、８４Ｂは、上カバー８４ａと下カバー８４ａを外装ケース本体８２に取り付けると、外装ケース本体８２に形成された窓部９０の上端開口部と下端開口部に嵌合するように形成されている。したがって、その厚さは、外装ケース本体８２に一体成形された収容部８８の前面張出部８８Ａの厚さと同じ厚さに形成され、その横幅は、窓部９０の横幅と同じ幅に形成されている。そして、その形成位置は窓部９０の形成位置に対応して形成されている。
【０１０９】
収容部８８にディスプレイユニット４０が収容された外装ケース本体８２に上カバー８４ａと下カバー８６ａに取り付けると、図１０に示すように、その上カバー８４ａと下カバー８６ａに形成された係合片８４Ａ、８６Ａが、窓部９０の上端開口部と下端開口部に嵌まる。
【０１１０】
このように、上下の両端部が開口して形成された窓部９０の上端開口部と下端開口部に係合片８４Ａ、８６Ａを嵌めることにより、前面張出部８８Ａと合わせて係合片８４Ａ、８６Ａで収容部８８に収容されたディスプレイユニット４０の前面を保持することができる。また、これによりディスプレイユニット４０の必要部のみを外観に露出させることができ、デザイン性をより向上させることができる。
【０１１１】
図１１は、本発明が適用されたデジタルカメラの第５の実施の形態のディスプレイユニットの組み付け構造を示す展開図である。
【０１１２】
同図に示すように、本実施の形態のデジタルカメラの外装ケース８０ｂは、外装ケース本体８２ｂのディスプレ設置位置に形成される窓部９０ｂが、外装ケース本体８２ｂの後面（ディスプレイ取付面）に矩形状の穴として形成されている点で上述した第３の実施の形態のデジタルカメラの外装ケース８０と相違している。すなわち、上記第３の実施の形態のデジタルカメラの外装ケース８０では、窓部９０の上下両端が開口して形成されているが、本実施の形態のデジタルカメラの外装ケース８０ｂでは、周囲四辺が枠状に囲われた構成とされている。
【０１１３】
これにより、収容部８８ｂに収容されたディスプレイユニット４０は、その後面が収容部８８ｂの底面に保持されるとともに、その前面の周縁が収容部８８ｂの枠状に形成された前面に保持される。
【０１１４】
図１２は、第５の実施の形態のデジタルカメラにおける外装ケース本体８２ｂの加工方法の説明図である。
【０１１５】
上記第３の実施の形態の外装ケース本体８２の窓部９０は、上下の両端部が開口して形成されているため、外装ケース本体８２の押出成型時に外装ケース本体８２とともに一体成形することができる。
【０１１６】
しかし、本実施の形態の外装ケース本体８２ｂのように、窓部９０ｂを穴として形成すると、押出加工により形成することはできない。
【０１１７】
そこで、本実施の形態の外装ケース本体８２ｂは、図１２（ａ）に示すように、一端外装ケース本体８２ｂの基本骨格を形成後、同図（ｂ）に示すように、他の開口部（ズームボタン開口部２４、再生ボタン開口部２６Ａ、ファンクションボタン開口部２８Ａ、十字ボタン開口部３０Ａ、キャンセルボタン開口部３４Ａ、表示ボタン開口部３６Ａ、レンズ開口部、ストロボ開口部等）と同様に穴あけ加工して窓部９０ｂを形成する。
【０１１８】
このように、窓部９０ｂを外装ケース本体８２ｂの後面（ディスプレイ設置面）に穴として形成することにより、より優れたデザインにすることができる。
【０１１９】
図１３は、本発明が適用されたデジタルカメラの第６の実施の形態の外装ケース本体の外観構成を示す背面斜視図である。
【０１２０】
本実施の形態の外装ケース本体８２ｃは、いわゆる横押し出しによって形成されている点で上述した第５の実施の形態の外装ケース本体８２ｂと相違している。すなわち、本実施の形態の外装ケース本体８２ｃは、左右両端が開口して形成されている。この場合、収容部８８ｃも左右両端が開口して形成され、この左右の開口部からディスプレイユニット４０が収容部８８ｃ内に入れられる。
【０１２１】
本例の場合も窓部９０ｃは、外装ケース本体８２ｃの押出加工時に一体的に形成することができないので、図１４に示すように、押出加工後、他の開口部と同様に穴あけ加工して形成する。
【０１２２】
また、図１５に示すように、収容部８８ｃは、必要な部分のみを残し、不要な部分は切削して取り除く。すなわち、収容部８８ｃは、ディスプレイユニット４０が保持できれば十分なので、押出加工後、図１５（ｂ）に示すように、左右の不要部を切削加工して取り除く。これにより、外装ケース本体８２ｃの内部を有効に利用することができる。
【０１２３】
なお、本例のように外装ケース本体８２ｃを横押し出しによって加工形成した場合、ディスプレイユニット４０は、フレキシブルケーブル４９を横方向に引き出す構成とする（図１３、図１５参照）。そして、収容部８８ｃの除去部を利用して、外装ケース本体８２ｃ内に導き、内部の基板に接続する構成とする。
【０１２４】
図１６は、本発明が適用されたデジタルカメラの第７の実施の形態の液晶表示素子の組み付け構造を示す展開図であり、また、図１７は、その断面図である。
【０１２５】
同図に示すように、本実施の形態のデジタルカメラでは、液晶表示素子１００が外装ケース本体１１２に直接取り付けられ、所定のディスプレイカバー１０２で覆うことにより、外装ケース本体１１２に固定される。
【０１２６】
同図に示すように、本実施の形態のデジタルカメラの外装ケース１１０は、上下両端面が開口して形成された筒状の外装ケース本体１１２と、その外装ケース本体１１２の上下両端の開口面を覆う上カバー１１４と、下カバー１１６とで構成されている。
【０１２７】
なお、外装ケース１１０の前面に撮影レンズとストロボ（図示せず）、上面にシャッタボタン１８と電源ボタン２０、後面にディスプレイ２２と、ズームボタン２４と、再生ボタン２６と、ファンクションボタン２８と、十字ボタン３０と、ＭＥＮＵ／ＯＫボタン３２と、キャンセルボタン３４と、表示ボタン３６とが配置される点については、上述した第１の実施の形態のデジタルカメラ１０と同じである。
【０１２８】
外装ケース本体１１２は、金属（たとえば、アルミ合金やマグネシウム合金、ステンレス等）によって上下両端が開口した矩形の筒状に形成されており、その後面（ディスプレイ設置面）１１２Ａの内側にディスプレイ２２を構成する液晶表示素子１００を収容するための凹部１１８が一体形成されている。
【０１２９】
この外装ケース本体１１２は、基本骨格が押出加工によって形成されており、これに所要の開口部（ズームボタン開口部２４、再生ボタン開口部２６Ａ、ファンクションボタン開口部２８Ａ、十字ボタン開口部３０Ａ、キャンセルボタン開口部３４Ａ、表示ボタン開口部３６Ａ、レンズ開口部、ストロボ開口部等）を後加工して、所定形状に形成されている。このため、外装ケース本体１１２は、その両端開口部と平行な断面の投影形状が均一な形状（開口方向に押出成形可能な形状）に形成されている。また、このように押出成形可能な形状に形成されることから、その後面（ディスプレイ設置面）１１２Ａに形成される凹部１１８も上下の両端部が開口して形成されている。
【０１３０】
ここで、この凹部１１８は、液晶表示素子１００を収容可能な矩形の溝状に形成されており、外装カバー本体１１２の後面１１２Ａに所定の幅、深さをもって一体的に形成されている。
【０１３１】
また、この凹部１１８の底面１１８Ｂの下縁部には、中央に切欠き１２０が形成されている。液晶表示素子１００から延びるフレキシブルケーブル１２２は、この切欠き１２０を介して外装ケース本体１１２の内側に導かれる。なお、この切欠き１２０は、外装ケース本体１１２を押出加工後、切削加工により形成される。
【０１３２】
液晶表示素子１００を覆うディスプレイカバー１０２は、矩形の蓋状に形成されており、凹部１１８に嵌合可能に形成されている。具体的には、矩形の枠状に形成された天面窓部１０２Ａと、その天面窓部１０２Ａの四辺から垂直に延びる脚片部１０２Ｂ〜１０２Ｅとで構成されている。
【０１３３】
天面窓部１０２Ａの外形は、凹部１１８の内周形状に対応して形成されており、凹部１１８にほぼ隙間なく嵌合可能に形成されている。そして、その内周部には樹脂製の透明なプレート１０２Ｆが取り付けられている。
【０１３４】
４つの脚片部１０２Ｂ〜１０２Ｅは、それぞれ凹部１１８の深さと同じ長さをもって形成されており、ディスプレイカバー１０２を凹部１１８に嵌めた際、天面窓部１０２Ａが外装ケース本体１１２の後面１１２Ａと同一面上に位置するように形成されている。
【０１３５】
また、この４つの脚片部１０２Ｂ〜１０２Ｅのうち左右の脚片部１０２Ｂ、１０２Ｄには、それぞれその先端部に断面三角形状に形成された鉤状の係止部１０２ｂ、１０２ｄが一体成形されている。凹部１１８の左右の内壁面には、この係止部１０２ｂ、１０２ｄが嵌入されるスリット状の係止穴１２４が形成されている。
【０１３６】
ディスプレイカバー１０２を凹部１１８に嵌めると、その左右の脚片部１０２Ｂ、１０２Ｄに形成された係止部１０２ｂ、１０２ｄが、凹部１１８に形成された係止穴１２４に嵌まり、ディスプレイカバー１０２が外装ケース本体１１２に固定される。
【０１３７】
上カバー１１４は、上記第２の実施の形態のデジタルカメラの上カバー６４と同様に矩形の板状に形成され、所定位置にシャッタボタン開口部１８Ａと電源ボタン開口部２０Ａが形成されている。そして、外装ケース本体８２の周囲から食み出すことなく、外装ケース本体１１２の上面開口部１１２Ｂに取り付けられる。
【０１３８】
下カバー１１６も同様に矩形の板状に形成され、外装ケース本体１１２の周囲から食み出すことなく、外装ケース本体１１２の下面開口部１１２Ｃに取り付けられる。なお、図示されていないが、この下カバー８６にも電池蓋と三脚ネジ穴部材が取り付けられる。
【０１３９】
上カバー１１４と下カバー１１６とが、外装ケース本体１１２に取り付けられると、上下両端が開口して形成された収容部１１８もこの上カバー１１４と下カバー１１６とによって、上下の両端開口面が塞がれる。
【０１４０】
以上の構成による外装ケース本体１１２への液晶表示素子１００の組み付けは次のように行われる。
【０１４１】
まず、外装ケース本体１１２に形成された凹部１１８に液晶表示素子１００を収容する。
【０１４２】
次に、凹部１００に収容した液晶表示素子１００を覆うようにして、凹部１１８にディスプレイカバー１０２を取り付ける。ディスプレイカバー１０２は、凹部１１８に対して垂直に落とし込むようにして取り付け、その左右の両脚片部１０２Ｂ、１０２Ｄに形成された係止部１０２ｂ、１０２ｄを凹部１１８に形成された係止穴１２４に嵌めることにより固定される。
【０１４３】
凹部１１８に取り付けられたディスプレイカバー１０２は、その天面窓部１０２Ａが外装ケース本体１１２の裏面１１２Ａと同一面上に位置する。
【０１４４】
また、このディスプレイカバー１０２が取り付けられることにより、凹部１１８内に収容された液晶表示素子１００は、ディスプレイカバー１０２と凹部１１８の底面１１８Ｂとの間に挟まれて保持される。
【０１４５】
次に、外装ケース本体１１２の上面開口部と下面開口部に上カバー１１４と下カバー１１６を取り付ける。この際、凹部１１８内に形成された切欠き１２０を介してフレキシブルケーブル１２２を外装ケース本体１１２の内側に導く。
【０１４６】
以上により、液晶表示素子１００の組み付けが完了する。液晶表示素子１００は、ディスプレイカバー１０２と凹部１１８の底面１１８Ｂとの間に挟まれて保持される。
【０１４７】
このように、本実施の形態の液晶表示素子１００の組み付け構造によれば、液晶表示素子１００の取り付け部（凹部１１８）が、外装ケース本体１１２に一体的に形成されているので、別途、取り付け部材等を用いることなく、液晶表示素子１００を外装ケース本体１１２に組み付けることができる。また、本実施の形態の取り付け構造では、ディスプレイカバー１０２が、液晶表示素子１００のケースをかねているので、より少ない部品点数で液晶表示素子１００を外装ケース本体１１２に組み付けることができる。
【０１４８】
また、本実施の形態においても、外装ケース本体１１２を金属によって筒状に形成することができるので、継ぎ目のない優れたデザインにすることができる。また、剛性も確保することができる。
【０１４９】
なお、本実施の形態では、上下両端面が開口するように外装ケース本体１１２を押出成型しているが（いわゆる縦押し出し）、左右の両端が開口するように外装ケース本体を押出成型するようにしてもよい（いわゆる横押し出し）。この場合、左右両端の開口部をカバー部材で塞ぐように構成する。また、フレキシブルケーブルは、ディスプレイユニットの横から引き出す構成とし、収容部の底面の側縁部に切欠きを形成して、外装ケース本体内に導く構成とする。
【０１５０】
また、液晶表示素子１００は、凹部１１８にネジ止め等して固定するようにしてもよい。
【０１５１】
また、本例では、外装ケース本体１１２を筒状に形成しているが、前後に分割可能に形成するようにしてもよい。
【０１５２】
また、上記一連の実施の形態では、本発明をデジタルカメラに適用した例で説明したが、本発明の適用は、これに限定されるものではなく、携帯電話機や携帯音楽プレイヤ、ＰＤＡ等のディスプレイを備えた携帯電子機器すべてに適用することができる。
【０１５３】
また、上記一連の実施の形態では、表示素子として液晶表示素子を用いているが、有機ＥＬパネル等の他の表示素子を用いることもできる。
【図面の簡単な説明】
【０１５４】
【図１】本発明が適用されたデジタルカメラの第１の実施の形態の外観構成を示す正面斜視図
【図２】本発明が適用されたデジタルカメラの第１の実施の形態の外観構成を示す背面斜視図
【図３】第１の実施の形態のデジタルカメラにおけるディスプレイユニットの組み付け構造を示す展開図
【図４】第１の実施の形態のデジタルカメラにおけるディスプレイユニットの取り付け部の構成を示す縦断面図
【図５】本発明が適用されたデジタルカメラの第２の実施の形態の外観構成を示す正面斜視図
【図６】第２の実施の形態のデジタルカメラにおけるディスプレイユニットの組み付け構造を示す展開図
【図７】本発明が適用されたデジタルカメラの第３の実施の形態のディスプレイユニットの組み付け構造を示す展開図
【図８】第３の実施の形態のデジタルカメラにおけるディスプレイユニットが組み付けられた外装ケースの背面斜視図
【図９】本発明が適用されたデジタルカメラの第４の実施の形態のディスプレイユニットの組み付け構造を示す展開図
【図１０】第４の実施の形態のデジタルカメラにおけるディスプレイユニットが組み付けられた外装ケースの背面斜視図
【図１１】本発明が適用されたデジタルカメラの第５の実施の形態のディスプレイユニットの組み付け構造を示す展開図
【図１２】第５の実施の形態のデジタルカメラにおける外装ケース本体８２ｂの加工方法の説明図
【図１３】本発明が適用されたデジタルカメラの第６の実施の形態の外装ケース本体の外観構成を示す背面斜視図
【図１４】第６の実施の形態のデジタルカメラにおける外装ケース本体８２ｂの加工方法の説明図
【図１５】第６の実施の形態のデジタルカメラにおける外装ケース本体８２ｂの加工方法の説明図
【図１６】本発明が適用されたデジタルカメラの第７の実施の形態の液晶表示素子の組み付け構造を示す展開図
【図１７】本発明が適用されたデジタルカメラの第７の実施の形態の液晶表示素子の組み付け構造を示す断面図
【符号の説明】
【０１５５】
１０、１０Ａ…デジタルカメラ、１２…外装ケース本体、４０…ディスプレイユニット、４２…ディスプレイケース、４４…凹部、５０…化粧板、６０…外装ケース、６２…外装ケース本体、６４…上カバー、６６…下カバー、６８…凹部、８０…外装ケース、８２…外装ケース本体、８２…外装ケース本体、８４…上カバー、８６…下カバー、８８…収容部、９０…窓、１００…液晶表示素子、１０２…ディスプレイカバー、１１２…外装ケース本体、１１４…上カバー、１１６…下カバー、１１８…凹部
【図１】
2009145690.tif 000003
【図２】
2009145690.tif 000004
【図３】
2009145690.tif 000005
【図４】
2009145690.tif 000006
【図５】
2009145690.tif 000007
【図６】
2009145690.tif 000008
【図７】
2009145690.tif 000009
【図８】
2009145690.tif 000010
【図９】
2009145690.tif 000011
【図１０】
2009145690.tif 000012
【図１１】
2009145690.tif 000013
【図１２】
2009145690.tif 000014
【図１３】
2009145690.tif 000015
【図１４】
2009145690.tif 000016
【図１５】
2009145690.tif 000017
【図１６】
2009145690.tif 000018
【図１７】
2009145690.tif 000019